(57)【特許請求の範囲】
【請求項１】
互いに離間した一対の足場台（３）の天板（４）間に配置される連結板（６）と、この連結板（６）の両端部に設けられていて、連結板（６）を天板（４）に着脱自在に連結する連結具（７）とが備えられた足場台連結装置であって、
連結板（６）の両端部に、足場台（３）の天板（４）の端部上面に載置される載置板（１９）が固設されており、
連結具（７）は、連結板（６）の上方移動を規制するように天板（４）の下面側に係合される下係合部材（２３）を有し、この下係合部材（２３）は天板（４）に係合する係合姿勢（Ｘ）と天板（４）から外れる退避姿勢（Ｙ）とに姿勢変更自在に支持されており、
連結具（７）に、天板（４）の上面側に係合される上係合部材（２４）が具備され、上係合部材（２４）の先端部に、係合姿勢（Ｘ）のときに足場台（３）の天板（４）に形成した天板係止孔（４３）に上側から係合するように下方突出した係合部（４４）が設けられており、
連結具（７）は、連結板（６）の下面側に固設された軸支持台（２５）と、連結板（６）から軸支持台（２５）に亘って上下移動自在で軸廻りに回動自在に上下方向に挿通された支持軸（２６）とを備え、支持軸（２６）を下方に抜け止めすべく支持軸（２６）の上部に上係合部材（２４）が固設され、支持軸（２６）の軸支持台（２５）下方に下係合部材（２３）が上下移動自在でかつ相対回動不能に外嵌され、支持軸（２６）に対して下係合部材（２３）を上方に付勢すると共に下係合部材（２３）に対して支持軸（２６）を下方に付勢する付勢手段（５１）が具備され、支持軸（２６）の軸廻りの回動によって下係合部材（２３）と上係合部材（２４）とが係合姿勢（Ｘ）と退避姿勢（Ｙ）とに姿勢変更自在とされていることを特徴とする足場台連結装置。
【請求項２】
退避姿勢（Ｙ）にしたときに上係合部材（２４）の係合部（４４）が上側から係合する係止孔（２０）が連結板（６）に設けられていることを特徴とする請求項１に記載の足場台連結装置。
【請求項３】
前記支持軸（２６）は上下方向に長い角棒状に形成されており、
前記下係合部材（２３）は、支持軸（２６）に嵌合する角形の嵌合孔（３７）を形成した水平な取付板部（３５）と、この取付板部（３５）から天板（４）の下方に向けて下降傾斜した係合板部（３６）とが設けられていることを特徴とする請求項１又は２に記載の足場台連結装置。
【発明の詳細な説明】
【技術分野】
【０００１】
本発明は、一対の足場台の天板間に連結板を配置して天板同士を連結するようにした足場台連結装置に関するものである。
【背景技術】
【０００２】
足場台連結装置には、互いに離間した一対の足場台の天板間に配置される連結板と、この連結板の両端部に設けられていて、連結板を天板に着脱自在に連結する連結具とを備えたものがある。
この種の従来の足場台連結装置は、連結板の両端部に設けた連結具が、連結板の両端部に外方に向けて鈎形に下方突出したフックを備えてなるものであり、連結板を足場台の天板間に配置し、連結板のフックを一対の足場台の天板に固設したフック受枠に上側から着脱自在に係合させることにより、連結板を天板に着脱自在に連結するようにしていた（例えば特許文献１）。
【先行技術文献】
【特許文献】
【０００３】
【特許文献１】特開平９−３２２７１号公報
【発明の概要】
【発明が解決しようとする課題】
【０００４】
しかし、従来の場合、連結板上で作業をすると、連結板が足場台の天板に対して浮き上がって、連結板のフックがフック枠から上方に外れ、連結板の天板への連結が不測に外れたり連結板が大きくガタ付いたりするおそれがあった。
本発明は上記問題点に鑑み、連結板上で作業をしても、連結板の足場台の天板への連結が外れたり連結板が大きくガタ付いたりするおそれなく天板同士を連結できる足場台連結装置を提供することを目的としている。
【課題を解決するための手段】
【０００５】
本発明における課題解決のための具体的手段は、次の通りである。
この技術的課題を解決する本発明の技術的手段は、互いに離間した一対の足場台３の天板４間に配置される連結板６と、この連結板６の両端部に設けられていて、連結板６を天板４に着脱自在に連結する連結具７とが備えられた足場台連結装置であって、
連結板６の両端部に、足場台３の天板４の端部上面に載置される載置板１９が固設されており、
連結具７は、連結板６の上方移動を規制するように天板４の下面側に係合される下係合部材２３を有し、この下係合部材２３は天板４に係合する係合姿勢Ｘと天板４から外れる退避姿勢Ｙとに姿勢変更自在に支持されている点にある。
【０００６】
また、本発明の他の技術的手段は、連結具７に、天板４の上面側に係合される上係合部材２４が具備され、上係合部材２４の先端部に、係合姿勢Ｘのときに足場台３の天板４に形成した天板係止孔４３に上側から係合するように下方突出した係合部４４が設けられている点にある。
また、本発明の他の技術的手段は、連結具７は、連結板６の下面側に固設された軸支持台２５と、連結板６から軸支持台２５に亘って上下移動自在で軸廻りに回動自在に上下方向に挿通された支持軸２６とを備え、支持軸２６を下方に抜け止めすべく支持軸２６の上部に上係合部材２４が固設され、支持軸２６の軸支持台２５下方に下係合部材２３が上下移動自在でかつ相対回動不能に外嵌され、支持軸２６に対して下係合部材２３を上方に付勢すると共に下係合部材２３に対して支持軸２６を下方に付勢する付勢手段５１が具備され、支持軸２６の軸廻りの回動によって下係合部材２３と上係合部材２４とが係合姿勢Ｘと退避姿勢Ｙとに姿勢変更自在とされている点にある。
【０００７】
また、本発明の他の技術的手段は、退避姿勢Ｙにしたときに上係合部材２４の係合部４４が上側から係合する係止孔２０が連結板６に設けられている点にある。
さらに、前記支持軸２６は上下方向に長い角棒状に形成されており、前記下係合部材２３は、支持軸２６に嵌合する角形の嵌合孔３７を形成した水平な取付板部３５と、この取付板部３５から天板４の下方に向けて下降傾斜した係合板部３６とが設けられている点にある。
【発明の効果】
【０００８】
本発明によれば、一対の足場台の天板間に連結板を上側から配置すると、連結板の両側の載置板を一対の天板の端部上面に広い面積で載置することができる。しかも、連結具の下係合部材を係合姿勢にすることによって、連結板の上方移動を下係合部材によって規制することができるため、連結板上で作業をしても、連結板が足場台の天板に対して大きく浮き上がるのを防ぐことができ、連結板の天板への連結が不測に外れたり連結板が大きくガタ付いたりするのを確実に防止できる。
【０００９】
しかも、下係合部材は天板に係合する係合姿勢と天板から外れる退避姿勢とに姿勢変更自在に支持されているので、係合姿勢と退避姿勢とに姿勢変更することによって、天板への連結板の取り付け及び取り外しも簡単になし得る。
【図面の簡単な説明】
【００１０】
【図１】本発明の第１実施形態を示す足場台連結装置の正面図である。
【図２】同足場台連結装置全体の正面図である。
【図３】同足場台連結装置の平面図である。
【図４】同足場台連結装置の側面図である。
【図５】同連結具の拡大平面図である。
【図６】図５のＡ−Ａ線断面図である。
【図７】図５のＢ−Ｂ線断面図である。
【図８】同足場台連結装置の積み重ね状態を示す正面図である。
【図９】第２実施形態を示す連結具の拡大平面図である。
【図１０】図９のＣ−Ｃ線断面図である。
【図１１】第３実施形態を示す連結具の正面断面図である。
【発明を実施するための形態】
【００１１】
以下、本発明の実施の形態を図面に基づいて説明する。
図１〜図８は本発明の第１実施形態を示している。図１〜図７において、足場台連結装置１は、互いに離間した一対の足場台３の天板４を連結するものであり、一対の足場台３の天板４間に配置される連結板６と、この連結板６の左右両端部に設けられた連結具７とを備えている。
【００１２】
ここで、一対の足場台３は、図２に示すように、それぞれ天板４と天板４を支持する左右の脚体９とを有し、天板４が互いに左右に離間して同一高さに配置されている。
連結板６は、左右に長い長方形状の４つの構成板１１を前後方向に接合してなり、各構成板１１は、多数の通孔１２を有すると共に、下面側に左右方向に長い中央補強筒部１３と端部補強筒部１４とが一体に形成されている。中央補強筒部１３は各構成板１１の前後方向の中央部にそれぞれ幅広の角筒状に形成され、端部補強筒部１４は各構成板１１の前後両端部にそれぞれ幅狭の角筒状に形成されている。
【００１３】
連結板６の下面側の左右両端部に側面視で細長いＥ字状に形成された把持杆１６が下方突設されている。連結板６の前端部に側面視Ｌ字状の前板１７が固設されている。連結板６の左右両端部の各連結具７よりも前後方向の内方側に円形の係止孔２０が設けられている。
連結板６の左右両端部に、足場台３の天板４の端部上面に載置される載置板１９が固設されている。載置板１９は垂直状の固定板部２１と水平状の載置板部２２とを正面視逆Ｌ字状に有し、固定板部２１が連結板６の左右方向の外端部に溶接等により固着され、固定板部２１の上端部から載置板部２２が左右方向外方に突出され、載置板部２２の上面は連結板６の上面と面一になっている。連結板６は左右の載置板１９を介して左右の天板４に跨って載置されている。
【００１４】
連結具７は、連結板６を天板４に着脱自在に連結するもので、図例では連結板６の左右両端部に前後に離間して２個ずつ配置され、合計で４個設けられている。
各連結具７は、天板４の下面側に係合される下係合部材２３と、天板４の上面側に係合される上係合部材２４と、連結板６の下面側に固設された軸支持台２５と、支持軸２６とを有している。連結板６の左右両端部に各連結具７に対応して支持軸２６を挿通するための円形の取付孔２７が設けられている。
【００１５】
軸支持台２５は、上壁部２９と下壁部３０と前壁部３１と後壁部３２とを有する角筒状に形成され、上壁部２９が連結板６（構成板１１）の下面に溶接等により固着されている。上壁部２９と下壁部３０とに連結板６の取付孔２７に対応して円形の挿通孔３３が設けられている。
支持軸２６は上下方向に長い角棒状に形成され、取付孔２７を介して連結板６の端部に挿通されると共に挿通孔３３を介して軸支持台２５に挿通され、これにより支持軸２６は連結板６から軸支持台２５に亘って上下移動自在で軸廻りに回動自在に上下方向に挿通されている。
【００１６】
下係合部材２３は長方形の板状に形成され、水平な取付板部３５と取付板部３５から天板４の下方に向けて下降傾斜した係合板部３６とを備え、係合板部３６の水平面にする傾斜角度θは１０度程度に設定されている。取付板部３５の中央部に角形の嵌合孔３７が貫通形成されている。
下係合部材２３は、支持軸２６の軸支持台２５下方に嵌合孔３７を介して上下移動自在でかつ相対回動不能に外嵌されている。
【００１７】
上係合部材２４は丸棒材により構成され、支持軸２６の上部に固設され、これにより支持軸２６を連結板６に対して下方に抜け止めしている。上係合部材２４の中途部の外周面に多数の溝を刻設してなる滑止部３９が設けられている。
而して、支持軸２６の軸廻りの回動によって下係合部材２３と上係合部材２４とが互いに連動して係合姿勢Ｘと退避姿勢Ｙとに姿勢変更自在とされ、係合姿勢Ｘにしたときに、下係合部材２３及び上係合部材２４が連結板６の端部から左右方向の外方に突出し、下係合部材２３が天板４に下側から係合して連結板６の上方移動を規制するようになっている。また、退避姿勢Ｙに姿勢変更したときに、下係合部材２３及び上係合部材２４が連結板６の端部に沿うように前後方向の内方側に後退するようになっている。
【００１８】
足場台３の天板４の端部に上係合部材２４に対応して天板係止孔４３が形成され、上係合部材２４の先端部に下方突出した係合部４４が設けられており、上係合部材２４が係合姿勢Ｘのときに係合部４４が天板係止孔４３に上側から係合すると共に、上係合部材２４が退避姿勢Ｙのときに係合部４４が連結板６の係止孔２０に係合するようになっている。
支持軸２６の下部に雄ねじ部４７が下方突設されており、この雄ねじ部４７にバネ受け４８が外嵌されると共にナット４９が螺合されて、バネ受け４８を雄ねじ部４７の基端側に締め付け固定している。
【００１９】
バネ受け４８と下係合部材２３との間に付勢手段５１が設けられている。この付勢手段５１はコイルバネにより構成され、支持軸２６に外嵌されて上端部が下係合部材２３に当接され下端部がバネ受け４８に当接されており、支持軸２６に対して下係合部材２３を上方に付勢すると共に下係合部材２３に対して支持軸２６を下方に付勢している。
而して、付勢手段５１の付勢によって、下係合部材２３は支持軸２６に対して上方移動して軸支持台２５の下壁部３０の下面に当接され、支持軸２６は下係合部材２３乃至軸支持台２５に対して下方移動して上係合部材２４が連結板６の上面に当接されている。上係合部材２４を上方に引っ張ることにより付勢手段５１の付勢に抗して上係合部材２４乃至支持軸２６を上方移動させることができ、上係合部材２４を把持して上方に引っ張った後に支持軸２６廻りに回動することより、下係合部材２３及び上係合部材２４を同時に係合姿勢Ｘと退避姿勢Ｙとに姿勢変更することができるようになっている。
【００２０】
前記第１実施形態によれば、一対の足場台３の天板４間に連結板６を配置して天板４に連結する場合、下係合部材２３及び上係合部材２４を退避姿勢Ｙにした状態で、連結板６を上側から一対の足場台３の天板４間に配置して、左右の載置板１９を左右天板４の端部上面にそれぞれ載置する。
その後、上係合部材２４を把持して支持軸２６を上方に引っ張り、上係合部材２４を支持軸２６廻りに回動することより、下係合部材２３及び上係合部材２４を同時に退避姿勢Ｙから係合姿勢Ｘに姿勢変更し、係合部４４が天板係止孔４３に一致するように連結板６を天板４に対して前後方向に移動調整しながら、上係合部材２４の把持を解除すれば、付勢手段５１の付勢によって支持軸２６が下方移動して上係合部材２４が連結板６の上面に
当接し、上係合部材２４の係合部４４が天板係止孔４３に係合し、下係合部材２３が天板４に下側から係合する。
【００２１】
このとき、連結板６の両側の載置板１９を一対の天板４の端部上面に広い面積で載置することができる。また、下係合部材２３が天板４に下側から係合することにより、連結板６の上方移動が規制されるし、上係合部材２４の係合部４４が天板係止孔４３に係合することにより、天板４に対して連結板６の左右移動及び前後移動が規制される。しかも、上記の如く連結板６の上方移動が規制されることにより、上係合部材２４の係合部４４が天板係止孔４３から不測に上方に外れるのを確実に防止することができる。
【００２２】
従って、連結板６が上下や前後左右に大きくガタ付いたりしないように一対の天板４間に安定に載置しておくことができ、連結板６上で作業をしても、連結板６が天板４に対して浮き上がって、連結板６の足場台３の天板４への連結が不測に外れたり連結板６が大きくガタ付いたりするおそれがなくなる。
また、連結板６を天板４間から取り外す場合は、上係合部材２４を把持して支持軸２６を上方に引っ張り、上係合部材２４の係合部４４を天板係止孔４３から上方に外した後、上係合部材２４を支持軸２６廻りに回動することより、各連結具７の下係合部材２３及び上係合部材２４を係合姿勢Ｘから退避姿勢Ｙに姿勢変更する。すると、下係合部材２３が連結板６の外端部の下面に沿うと共に、上係合部材２４が連結板６の外端部の上面に沿い、上係合部材２４の係合部４４が係止孔２０に係合し、下係合部材２３及び上係合部材２４が不測に動かないように固定されるので、その後は、連結板６を天板４に対して上方に持ち上げて取り外せばよい。
【００２３】
従って、連結具７が天板４の下面側に係合される下係合部材２３と天板４の上面側に係合される上係合部材２４とを有しているにも拘わらず、連結板６を簡単に足場台３から取り外すことができる。
そして、複数の連結板６を収納する場合は、図８に示すように、２つの連結板６をその下面側を互いに対向させて、一対の連結板６間に互いの把持杆１６同士をやや左右にずらせて配置するようにすれば、複数の連結板６をコンパクトに積み重ねて収納することができる。
【００２４】
図９及び図１０は第２実施形態を示し、連結具７が連結板６における前後方向両端側の構成板１１の中央補強筒部１３に対応して設けられ、中央補強筒部１３を支持軸２６を支持する軸支持台２５に兼用するようにしたものである。連結板６（構成板１１）に円形の取付孔２７を形成すると共に中央補強筒部１３の底壁に円形の挿通孔３３を形成し、これら取付孔２７及び挿通孔３３を介して支持軸２６を連結板６に挿入することにより、支持軸２６は連結板６から軸支持台２５（中央補強筒部１３）に亘って上下移動自在で軸廻りに回動自在に上下方向に挿通されている。また、下係合部材２３の取付板部３５と係合板部３６との間に取付板部３５から階段状に下方に屈曲した段状板部５２を設けている。その他の点は前記第１実施形態の場合と同様の構成である。
【００２５】
図１１は第３実施形態を示し、支持軸２６の上端部に前記上係合部材２４に代えて抜止頭部５３を固設し、この抜止頭部５３によって支持軸２６を連結板６に対して下方に抜け止めしている。抜止頭部５３に操作リング５４を前後軸廻りに揺動自在に挿通保持しており、この操作リング５４を手で把持して、支持軸２６を上方に引っ張り上げたり回動したりできるようになっている。
【００２６】
また、左右の載置板１９に上係合部材２４を左右方向外方に向けて突設し、この上係合部材２４の先端部に、係合姿勢Ｘのときに天板係止孔４３に上側から係合する係合部４４が下方突設されている。従って、支持軸２６の軸廻りの回動によって下係合部材２３のみが係合姿勢Ｘと退避姿勢Ｙとに姿勢変更自在とされ、上係合部材２４は係合姿勢Ｘに固定されたままになっている。その他の点は前記第１実施形態の場合と同様の構成である。
【００２７】
前記実施形態では、連結具７に、下係合部材２３の他に上係合部材２４が具備されているが、これに代え、上係合部材２４を省略するようにしてもよい。
また、前記実施形態では、連結具７は、連結板６の下面側に固設された軸支持台２５と、連結板６から軸支持台２５に亘って上下移動自在で軸廻りに回動自在に上下方向に挿通
された支持軸２６とを備えているが、これに代え、軸支持台２５及び支持軸２６を省略し、下係合部材２３を連結板６の下面側に、天板４に係合する係合姿勢Ｘと天板４から外れる退避姿勢Ｙとに回動又は直線的な往復移動により姿勢変更自在に支持するようにしてもよい。
【００２８】
また、付勢手段５１をコイルバネ以外の板バネその他で構成するようにしてもよい。
【符号の説明】
【００２９】
１      足場台連結装置
３      足場台
４      天板
６      連結板
７      連結具
１９    載置板
２０    係止孔
２３    下係合部材
２４    上係合部材
２５    軸支持台
２６    支持軸
４３    天板係止孔
４４    係合部
５１    付勢手段
Ｘ      係合姿勢
Ｙ      退避姿勢
【図１】
0006392048.tif 000002
【図２】
0006392048.tif 000003
【図３】
0006392048.tif 000004
【図４】
0006392048.tif 000005
【図５】
0006392048.tif 000006
【図６】
0006392048.tif 000007
【図７】
0006392048.tif 000008
【図８】
0006392048.tif 000009
【図９】
0006392048.tif 000010
【図１０】
0006392048.tif 000011
【図１１】
0006392048.tif 000012